(57)【要約】【課題】技術情報の文章を読み易い位置で自動的に改行して出力することにより、その分析作業の効率向上を図り得る技術情報分析装置を提供する。【解決手段】技術情報の文章を所定位置で改行することにより前記文章を所定形態で出力し得る技術情報分析装置であって、前記改行位置を、文章中の句点、読点及び段落語の少なくとも１つの直後に設定して文章を読み易くしたことを特徴とする。また、改行した文章の先頭に所定の記号を付与して読解力を助けたり、前記段落語が文章中で識別化されていたり、前記技術情報が特許公報の請求項であることを特徴とする。【選択図】　図２
2004094529.tif 000002
【特許請求の範囲】
【請求項１】
技術情報の文章を所定位置で改行することにより前記文章を所定形態で出力し得る技術情報分析装置であって、
前記改行位置を、文章中の句点、読点及び段落語の少なくとも１つの直後に設定して文章を読み易くしたことを特徴とする技術情報分析装置。
【請求項２】
前記改行位置で改行された文章等の先頭に所定の記号が付与されていることを特徴とする請求項１に記載の技術情報分析装置。
【請求項３】
前記段落語が文章中で識別化されていることを特徴とする請求項１または２に記載の技術情報分析装置。
【請求項４】
前記技術情報が特許公報の請求項であることを特徴とする請求項１ないし３のいずれかに記載の技術情報分析装置。
【発明の詳細な説明】
【０００１】
【発明の属する技術分野】
本発明は、特許情報の請求項等のような技術情報の文章を読み易い形態で例えば表示し得る技術情報分析装置に関する。
【０００２】
【従来の技術】
現在、特許庁から発行される特許情報としてのＣＤ−ＲＯＭ特許公報には、一般的な書誌的事項や要約、特許請求の範囲、明細書の発明の詳細な説明等の文章情報からなる技術情報が掲載されて、これらがキーワード等の指定項目に基づいて機械検索できるように構成されている。
【０００３】
そして、このＣＤーＲＯＭ特許公報に掲載されている技術情報に基づき、例えば各特許情報の最も重要な情報である「特許請求の範囲」（実用新案登録公報のは「実用新案登録請求の範囲」：以下これらを総称して「請求項」という）を画面に表示してあるいは印刷してこれを読みながら分析する場合がある。従来、この請求項の分析は、例えばパソコン上に構築された分析装置を使用し、各請求項の文章を公報に掲載されているままの状態で、画面上に表示したり印刷し、これを分析作業者が読み取ることによって行っているのが一般的である。
【０００４】
【発明が解決しようとする課題】
しかしながら、このような請求項の分析装置においては、公報に掲載されている各請求項の文章をそのままの状態で表示したり印刷し、これを分析作業者が読み取ることで行っているため、請求項の文章を読み易い状態にして読むことが困難である。特に、特許公報の場合、請求項自体が比較的読み難い文章で形成されている場合が多くまた文章自体が長いものが多いことから、その内容を短時間でかつ的確に読み取ることが難しく、分析作業の効率低下を招き易いという問題点を有している。
【０００５】
そこで、このような読み難さを解消するために、分析作業者が読み易く感じる位置で改行させて表示したり印刷して読む取る方法も考えられるが、この場合は、改行作業が必要となって、分析作業の一層の効率低下を招き易い。
【０００６】
本発明は、このような事情に鑑みてなされたもので、その目的は、技術情報の文章を読み易い位置で自動的に改行して出力することにより、その分析作業の効率向上を図り得る技術情報分析装置を提供することにある。
【０００７】
【課題を解決するための手段】
かかる目的を達成すべく、本発明のうち請求項１記載の発明は、技術情報の文章を所定位置で改行することにより前記文章を所定形態で出力し得る技術情報分析装置であって、前記改行位置を、文章中の句点、読点及び段落語の少なくとも１つの直後に設定して文章を読み易くしたことを特徴とする。
【０００８】
このように構成することにより、技術情報の文章は、その文章中の句点、読点、段落語の少なくとも１つの直後に改行されて出力されることから、技術情報が出力と同時に所定の改行位置で自動的に改行された読み易い状態の文章として出力される。そして、この改行された読み易い文章を、分析作業者が読み取ることで技術情報が分析され、分析作業の効率が向上する。
【０００９】
また、請求項２に記載の発明は、前記改行位置で改行された文章等の先頭に所定の記号が付与されていることを特徴とする。このように構成することにより、改行された文章の先頭に◇や△あるいは（　）等の所定の記号が付与されることから、読んで理解した文章の先頭の記号に例えばレ印を付けたり、文章の重要度に応じてＡ、Ｂ、Ｃ等の文字を入力することが可能になって、文章の理解力等の促進となる。
【００１０】
また、請求項３に記載の発明は、前記段落語が文章中で識別化されていることを特徴とする。このように構成することにより、「からなる」とか「特徴とした」等の段落語が他の文章と例えば色分け等で識別化されて出力されることから、技術的内容には関係ない段落語を技術的内容と関係ある用語等と分別できて、文章の読み易さが一層向上する。
【００１１】
また、請求項４に記載の発明は、前記技術情報が特許公報の請求項であることを特徴とする。このように構成することにより、技術情報が特許公報の請求項であることから、難しい文章が多かったり長い文章が多い請求項を読み易い状態で出力できて、特許情報の分析作業が効率的に行える。
【００１２】
【発明の実施の形態】
以下、本発明の実施の形態を図面に基づいて詳細に説明する。
図１は、本発明に係わる技術情報分析装置を例えばパソコンを使用して構築した場合のブロック図を示している。
【００１３】
図１において、技術情報分析装置１（以下、単に分析装置１という）は、ＣＰＵ３、ＲＡＭ４、ＲＯＭ５及びＩ／Ｏ６等がバスライン７を介して接続された制御装置２を有し、この制御装置２のＩ／Ｏ６の入力側には、キーボード８及びマウス９と、ＭＯドライブ等を含むＣＤ−ＲＯＭ等ドライブ１０が接続され、Ｉ／Ｏ６の出力側には、ＣＲＴ（液晶ディスプレイを含む）からなる表示器１１と、プリンタ１２等が接続されている。
【００１４】
そして、この分析装置１は、制御装置２のＲＯＭ５に記憶されているプログラムに基づいて、ＣＤ−ＲＯＭ等ドライブ１０にセットされている例えば技術情報としてのＣＤ−ＲＯＭ特許公報を、キーボード８やマウス９で入力された条件に基づいて検索し、その請求項を制御装置２のＣＰＵ３に読み込み、所定の出力形態に処理して表示器１１に出力して表示したり、プリンタ１２に出力して印字するように構成されている。
【００１５】
次に、この分析装置１の動作の一例を図２〜図６に基づいて説明する。なお、図２のフローチャートは、前記ＲＯＭ５に記憶されているプログラムにしたがって自動的に実行される。また、説明の便宜上、技術情報としての特許公報の請求項は、図３に示すものであるとする。
【００１６】
図２に示すように、プログラムが開始（Ｓ１０１）されると、先ず、特許情報の請求項の中から所定の請求項である図３に示す請求項が抽出されてセット（Ｓ１０２）されて、例えば前記表示器１１の画面上に表示される。そして、文章中の「句点」の直後で改行するか否かが判断（Ｓ１０３）され、この判断Ｓ１０３で「ＹＥＳ」の場合は、請求項の文章中に、「句点」が有りか否かが判断（Ｓ１０４）され、判断Ｓ１０３で「ＮＯ」の場合は、後述する判断Ｓ１０７にジャンプする。
【００１７】
前記判断Ｓ１０４で「ＹＥＳ」の場合は、セットされた文章が句点の直後で改行（Ｓ１０５）されて、改行の先頭部に所定の記号が付与（Ｓ１０６）され、判断Ｓ１０４で「ＮＯ」の場合は判断Ｓ１０７にジャンプする。なお、ステップＳ１０６で付与される記号としては、「◇」「△」「（　）」等が使用される。これにより、図３に示す請求項の文章が、図４に示すように、「、」の直後のでそれぞれ改行され、改行された文章の先頭に記号「◇」が付与されて表示される。なお、改行された文章の先頭に付与される記号は、文章と色を異ならせることで識別化することもできる。
【００１８】
次に、文章中の「読点」で改行するか否かが判断（Ｓ１０７）され、この判断Ｓ１０７で「ＹＥＳ」の場合は、請求項の文章中に「読点」が有りか否かが判断（Ｓ１０８）され、判断Ｓ１０７で「ＮＯ」の場合は、後述する判断Ｓ１１１にジャンプする。前記判断Ｓ１０８で「ＹＥＳ」の場合は、セットされた文章が読点の直後で改行（Ｓ１０９）されて、改行された文章の先頭に記号「◇」が付与（Ｓ１１０）され、判断Ｓ１０８で「ＮＯ」の場合は、判断Ｓ１１１にジャンプする。これにより、「、」で改行された請求項の文章が、図４に示すように、「。」の直後のでそれぞれ改行され、改行された文章の先頭に記号「◇」が付与されて表示される。
【００１９】
そして、文章中の「段落語」で改行するか否かが判断（Ｓ１１１）され、この判断Ｓ１１１で「ＹＥＳ」の場合は、請求項の文章中に「段落語」が有りか否かが判断（Ｓ１１２）され、判断Ｓ１１１で「ＮＯ」の場合は、ステップＳ１１５にジャンプして一連のプログラムを終了する。前記判断Ｓ１１２で「ＹＥＳ」の場合は、セットされた文章が段落語の直後で改行（Ｓ１１３）されて、改行された文章の先頭に記号「◇」が付与（Ｓ１１４）され、判断Ｓ１１２で「ＮＯ」の場合はステップＳ１１５にジャンプする。なお、「段落語」としては、例えば図６に示す用語が使用され、この段落語は予め前記ＲＯＭ内に記憶されている。
【００２０】
この段落語の直後での改行により、「句点」と「読点」で改行された図４に示す請求項の文章が、図５に示すように、登録された「からなる」とか「特徴とした」の「段落語」の直後のでそれぞれ改行されその先頭に記号「◇」が表示される。これにより、請求項の文章が見やすい状態に変換されて表示される。この時、所定の請求項をセットするだけで、請求項の文章が「句点」「読点」及び「段落語」の直後で自動的に改行されて表示されることから、分析作業者が特別な操作をすることなく、読み易い状態で請求項を読み取ることができる。
【００２１】
その結果、読み易い文章表示により請求項を的確かつ短時間に把握することができると共に、例えば分析作業者自体が一々改行する必要がなくなって、分析作業の効率向上が図れたり分析精度の向上をも同時に図ること等が可能になる。特に、比較的難しい文章や長い文章からなる特許情報の請求項であっても、改行位置で文章が読み易い長さ等に区切られると共にその先頭に「◇」等の記号が付与されているため、例えば理解できた部分の記号にレ印を付けたり、記号部分にその重要度に応じてＡ、Ｂ，Ｃ等のランク付けの文字を記入することにより、文章の的確な分析が可能になって、特許調査業務等に使用して大きな効果が期待できる。
【００２２】
なお、上記実施例においては、「句点」と「読点」及び「段落語」の全てにおいてその直後に改行する場合について説明したが、例えば「段落語」の直後にのみ改行するようにしても良く、この場合は、図７に示す読み易い状態で例えば表示される。また、上記実施例においては、技術情報が特許公報の請求項である場合について説明したが、本発明はこれに何等限定されず、例えば特許公報の要約書、明細書の発明の詳細な説明、あるいは科学技術文献、新聞、専門書等の各種技術情報の分析に使用することができる。また、上記実施例においては、
【００２３】
【発明の効果】
以上詳述したように、請求項１に記載の発明によれば、技術情報の文章が、その文章中の句点、読点、段落語の少なくとも１つの直後に改行されて出力されるため、技術情報が出力と同時に所定の改行位置で自動的に改行された読み易い状態の文章として出力され、簡易な構成により技術情報の技術的内容を短時間に分析できる等、分析作業の作業効率の向上を図ることができる。
【００２４】
また、請求項２に記載の発明によれば、請求項１に記載の発明の効果に加え、改行れた文章の先頭に◇や△あるいは（　）等の所定の記号が付与されるため、文章の先頭が明瞭となり、例えば読んで理解した文章の先頭の記号にレ印を付けたり文章の重要度に応じてＡ、Ｂ、Ｃ等の文字を入力することが可能になって、文章の理解力（読解力）の一層の促進を図ることができる。
【００２５】
また、請求項３に記載の発明によれば、請求項１または２に記載の発明の効果に加え、段落語が他の文章と例えば色分け等で識別化されるため、技術的内容には関係ない段落語を技術的内容と関係ある用語等と明確に分別できて、文章をより読み易い状態で出力できて、その分析作業の作業効率を一層向上させることができる。
【００２６】
また、請求項４に記載の発明によれば、請求項１ないし３に記載の発明の効果に加え、技術情報が特許公報の請求項であることから、難しい文章が多かったり長い文章が多い請求項を読み易い状態で出力できて、特許情報の請求項に含まれる技術的内容を的確に把握できる等、特許情報の分析作業を効率的に行うことができる。
【図面の簡単な説明】
【図１】本発明に係わる技術情報分析装置の一例を示すブロック図
【図２】同その動作の一例を示すフローチャート
【図３】同その技術情報としての請求項の何時例を示す説明図
【図４】同その改行状態を示す説明図
【図５】同他の改行状態を示す説明図
【図６】同段落語の説明図
【図７】同他の改行状態を示す説明図
【符号の説明】
１：請求項分析装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：表示器
１２：プリンタ
【図１】
2004094529.tif 000003
【図２】
2004094529.tif 000004
【図３】
2004094529.tif 000005
【図４】
2004094529.tif 000006
【図５】
2004094529.tif 000007
【図６】
2004094529.tif 000008
【図７】
2004094529.tif 000009